【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
第１のノードからシリアルバスを介して他のノードにデータの転送を行うデータ通信システムであって、
上記第１のノードは、データを所定の圧縮方式により圧縮して転送する構成を有し、データ転送時において、圧縮データを転送する手段と非圧縮データを転送する手段とを備えることを特徴とするデータ通信システム。
【請求項２】
上記第１のノードは、データ内容的に同一である圧縮データの転送と非圧縮データの転送とをサイクル期間内に両方実行し、これをそれぞれの転送終了まで各サイクルにおいて繰り返すことを特徴とする請求項１に記載のデータ通信システム。
【請求項３】
上記第１のノードは映像の記録再生装置であることを特徴とする請求項１または２に記載のデータ通信システム。
【請求項４】
上記他のノードはプリンタであることを特徴とする請求項１〜３の何れか１項に記載のデータ通信システム。
【請求項５】
上記第１のノードと上記他のノードとがＤＳ−Ｌｉｎｋ方式を用いたシリアルバスにより直接接続されることを特徴とする請求項１〜４の何れか１項に記載のデータ通信システム。
【請求項６】
上記シリアルバスは、ＩＥＥＥ１３９４シリアルバスであることを特徴とする請求項１〜５の何れか１項に記載のデータ通信システム。
【請求項７】
第１のノードである記録再生装置からシリアルバスを介して他のノードに映像データの転送を行うデータ通信システムであって、
上記記録再生装置は、映像記録時に映像データを所定の圧縮方式により圧縮して記録部に記録する構成を有し、映像データ転送時に、上記記録部より読み出した圧縮映像データに関して、これを圧縮されたままパケット転送する手段と、伸張処理して非圧縮のデータとしてパケット転送する手段とを有し、
データ内容的に同一である圧縮映像パケットの転送と非圧縮映像パケットの転送とをサイクル期間内に両方実行し、これをそれぞれの転送終了まで各サイクルにおいて繰り返すことを特徴とするデータ通信システム。
【請求項８】
請求項７に記載のデータ通信システムにおいて、
上記圧縮映像データおよび上記非圧縮映像データの転送をＩＥＥＥ１３９４シリアルバスの転送方式にあるアイソクロナス転送を用いて行い、その際、データの割り当てチャネルを圧縮、非圧縮のデータ別に区別することによってデータの種類を分別可能とし、かつ各チャネルを１サイクル内に多重して転送するようにしたことを特徴とするデータ通信システム。
【請求項９】
上記他のノードは、上記所定の圧縮方式による圧縮データを伸張可能なデコーダを具備しているか否かに応じて、圧縮データ用のチャネルまたは非圧縮データ用のチャネルの何れかを選択してデータを受信することを特徴とする請求項８に記載のデータ通信システム。
【請求項１０】
データ転送先となり得るすべてのノードが上記所定の圧縮方式による圧縮データを伸張可能なデコーダを具備しているかどうかを判断する手段を備え、当該デコーダをすべての転送先ノードが具備している場合は、圧縮データのみを転送することを特徴とする請求項１〜９の何れか１項に記載のデータ通信システム。
【請求項１１】
第１のノードからシリアルバスを介して他のノードにデータの転送を行うためのデータ通信方法であって、
データ内容的に同一である圧縮データの転送と非圧縮データの転送とをサイクル期間内に両方実行し、これをそれぞれの転送終了まで各サイクルにおいて繰り返すことを特徴とするデータ通信方法。
【請求項１２】
請求項１１に記載のデータ通信方法において、
上記圧縮データおよび上記非圧縮データの転送をＩＥＥＥ１３９４シリアルバスの転送方式にあるアイソクロナス転送を用いて行い、その際、データの割り当てチャネルを圧縮、非圧縮のデータ別に区別することによってデータの種類を分別可能とし、かつ各チャネルを１サイクル内に多重して転送するようにしたことを特徴とするデータ通信方法。
【請求項１３】
データ転送先となり得る上記他のノードが、上記圧縮データを対応する圧縮方式により伸張可能なデコーダを具備しているか否かに応じて、上記圧縮データまたは上記非圧縮データの何れかを選択して受信することを特徴とする請求項１１または１２に記載のデータ通信方法。
【請求項１４】
データ転送先となり得るすべてのノードが上記圧縮データを対応する圧縮方式により伸張可能なデコーダを具備しているかどうかを判断し、当該デコーダをすべての転送先ノードが具備している場合には、上記圧縮データのみを転送するようにしたことを特徴とする請求項１１〜１３の何れか１項に記載のデータ通信方法。
【請求項１５】
データを所定の圧縮方式により圧縮する圧縮手段と、
上記圧縮手段により圧縮されたデータを上記所定の圧縮方式に対応した方式により復号する復号手段と、
データ内容的に同一である圧縮データの転送と非圧縮データの転送とをサイクル期間内に両方実行し、これをそれぞれの転送終了まで各サイクルにおいて繰り返すデータ転送手段とを備えたことを特徴とするデータ通信ノード。
【請求項１６】
映像記録時に映像データを所定の圧縮方式により圧縮して記録部に記録する構成を有し、映像データ転送時は、上記記録部より読み出した圧縮映像データに関して、これを圧縮されたままパケット転送する手段と、伸張処理して非圧縮のデータとしてパケット転送する手段とを有し、
データ内容的に同一である圧縮映像パケットの転送と非圧縮映像パケットの転送とをサイクル期間内に両方実行し、これをそれぞれの転送終了まで各サイクルにおいて繰り返すことを特徴とするデータ通信ノード。
【請求項１７】
請求項１６に記載のデータ通信ノードにおいて、
上記圧縮映像データおよび上記非圧縮映像データの転送をＩＥＥＥ１３９４シリアルバスの転送方式にあるアイソクロナス転送を用いて行い、その際、上記圧縮映像データを任意のチャネルに割り当て、上記非圧縮映像データを上記圧縮映像データが割り当てられたチャネルとは異なる任意のチャネルに割り当てて転送し、かつ各チャネルを１サイクル内に多重して転送するようにしたことを特徴とするデータ通信ノード。
【請求項１８】
データ転送先となり得るすべてのノードが上記所定の圧縮方式による圧縮データを伸張可能なデコーダを具備しているかどうかを判断する手段を備え、当該デコーダをすべての転送先ノードが具備している場合は、圧縮データのみを転送することを特徴とする請求項１５〜１７の何れか１項に記載のデータ通信ノード。
【請求項１９】
請求項１５〜１７の何れか１項に記載のデータ通信ノードから転送されるデータを受信する他のデータ通信ノードであって、
上記所定の圧縮方式による圧縮データを伸張可能なデコーダを具備しているか否かに応じて、上記圧縮データまたは上記非圧縮データの何れかを選択して受信することを特徴とするデータ通信ノード。
【請求項２０】
第１のノードからシリアルバスを介して他のノードにデータを転送するに際して、データ内容的に同一である圧縮データの転送と非圧縮データの転送とをサイクル期間内に両方実行し、これをそれぞれの転送終了まで各サイクルにおいて繰り返すようにする手順をコンピュータに実行させるためのプログラムを記録したコンピュータ読み取り可能な記録媒体。
【請求項２１】
請求項２０に記載の記録媒体において、
上記手順は、上記圧縮データおよび上記非圧縮データの転送をＩＥＥＥ１３９４シリアルバスの転送方式にあるアイソクロナス転送を用いて行い、その際、データの割り当てチャネルを圧縮、非圧縮のデータ別に区別することによってデータの種類を分別可能とし、かつ各チャネルを１サイクル内に多重して転送する手順をコンピュータに実行させるためのプログラムを記録したことを特徴とする記録媒体。
【請求項２２】
データ転送先となり得るすべてのノードが上記圧縮データを対応する圧縮方式により伸張可能なデコーダを具備しているかどうかを判断し、当該デコーダをすべての転送先ノードが具備している場合には、上記圧縮データのみを転送するように制御する手順を更にコンピュータに実行させるためのプログラムを記録したことを特徴とする請求項２０または２１に記載の記録媒体。
【手続補正２】
【補正対象書類名】明細書
【補正対象項目名】００１０
【補正方法】変更
【補正の内容】
【００１０】
【課題を解決するための手段】
例えば本発明のデータ通信システムは、第１のノードからシリアルバスを介して他のノードにデータの転送を行うデータ通信システムであって、上記第１のノードは、データを所定の圧縮方式により圧縮して転送する構成を有し、データ転送時において、圧縮データを転送する手段と非圧縮データを転送する手段とを備えることを特徴とする。
このとき、上記第１のノードは、データ内容的に同一である圧縮データの転送と非圧縮データの転送とをサイクル期間内に両方実行し、これをそれぞれの転送終了まで各サイクルにおいて繰り返す。
ここで、上記第１のノードは映像の記録再生装置であっても良い。また、上記他のノードはプリンタであっても良い。また、上記第１のノードと上記他のノードとが上記ＤＳ−Ｌｉｎｋ方式を用いたシリアルバスにより直接接続されていても良い。さらに、このＤＳ−Ｌｉｎｋ方式を用いたシリアルバスは、ＩＥＥＥ１３９４シリアルバスであっても良い。